(57)【要約】【課題】胸壁の皮膚に貼り付かず、圧迫板を下げる過程での被検体の痛みを軽減させる。【解決手段】  実施形態に係る圧迫板は、被検体の乳房を撮影台の撮影面との間に挟んで圧迫する。前記圧迫板は、圧迫面部及び胸壁面部を具備する。前記圧迫面部は、前記撮影台に対向して前記乳房を圧迫する。前記胸壁面部は、前記圧迫面部から連続して構成され、Ｘ線撮影の際に前記被検体の胸壁に当接する。前記胸壁面部の前記胸壁に当接する面は、前記圧迫面部の前記撮影台に対向する透明な領域よりも表面粗さが大きい第１の領域を有する。【選択図】図２
2018064833.tif 000002
【特許請求の範囲】
【請求項１】
被検体の乳房を撮影台の撮影面との間に挟んで圧迫する圧迫板であって、
前記撮影台に対向して前記乳房を圧迫する圧迫面部と、
前記圧迫面部から連続して構成され、Ｘ線撮影の際に前記被検体の胸壁に当接する胸壁面部と
を具備し、
前記胸壁面部の前記胸壁に当接する面は、前記圧迫面部の前記撮影台に対向する透明な領域よりも表面粗さが大きい第１の領域を有する圧迫板。
【請求項２】
前記圧迫面部及び前記胸壁面部に対して直交する方向に沿って、前記圧迫面部及び前記胸壁面部から連続して構成された複数の側面部を備え、
前記複数の側面部は、前記透明な領域よりも表面粗さが大きい第２の領域を含んでいる請求項１に記載の圧迫板。
【請求項３】
前記圧迫面部及び前記胸壁面部に対して直交する方向に沿って、前記圧迫面部及び前記胸壁面部から連続して構成された複数の側面部を備え、
前記透明な領域はＸ線のパスを含んでおり、
前記複数の側面部及び前記圧迫面部のうちの少なくとも一方は、前記透明な領域よりも表面粗さが大きい第３の領域を含んでいる請求項１に記載の圧迫板。
【請求項４】
前記第１の領域及び前記第２の領域は互いに連続して構成されている請求項２に記載の圧迫板。
【請求項５】
前記圧迫面部と前記胸壁面部との境界に位置し、前記乳房の付け根に当接する辺部は、丸みのある角部上に、前記透明な領域よりも表面粗さが大きい第４の領域を有する請求項１乃至請求項４のいずれか一項に記載の圧迫板。
【請求項６】
前記第１の領域の表面粗さは０．１〜２μｍの範囲内にある請求項１乃至請求項５のいずれか一項に記載の圧迫板。
【請求項７】
前記胸壁面部は、前記複数の側面部の各々よりも薄い請求項２乃至請求項４のいずれか一項に記載の圧迫板。
【請求項８】
被検体の乳房が圧迫される撮影面を有する撮影台と、
前記乳房を前記撮影面との間に挟んで圧迫する圧迫板と
を具備し、
前記圧迫板は、
前記撮影台に対向して前記乳房を圧迫する圧迫面部と、
前記圧迫面部から連続して構成され、Ｘ線撮影の際に前記被検体の胸壁に当接する胸壁面部を備え、
前記胸壁面部の前記胸壁に当接する面は、前記圧迫面部の前記撮影台に対向する透明な領域よりも表面粗さが大きい第１の領域を有する、
Ｘ線診断装置。
【請求項９】
被検体の乳房を撮影台の撮影面との間に挟んで圧迫する圧迫板の製造方法であって、
前記圧迫板の樹脂材料を金型内に射出して成型する工程と、
前記樹脂材料が冷却された後に前記金型内から取り出された圧迫板のうち、前記撮影台に対向して前記乳房を圧迫する圧迫面部にマスキングする工程と、
前記マスキングされた圧迫面部から連続して構成され、Ｘ線撮影の際に前記被検体の胸壁に当接する胸壁面部にブラスト加工を施す工程と、
前記ブラスト加工の後、前記マスキングを除去する工程と
を具備し、
前記ブラスト加工を施す工程は、前記圧迫面部の前記撮影台に対向する透明な領域よりも表面粗さが大きい第１の領域を、前記胸壁面部の前記胸壁に当接する面に形成する工程である、
圧迫板の製造方法。
【請求項１０】
被検体の乳房を撮影台の撮影面との間に挟んで圧迫する圧迫板の製造方法であって、
前記撮影台に対向して前記乳房を圧迫する圧迫面部と、前記圧迫面部から連続して構成され、Ｘ線撮影の際に前記被検体の胸壁に当接する胸壁面部とを備えた圧迫板を成型するための金型を準備する工程と、
前記圧迫板の樹脂材料を前記金型内に射出して成型する工程と
を具備し、
前記金型を準備する工程では、前記圧迫面部の前記撮影台に対向する透明な領域よりも表面粗さが大きい第１の領域を、前記胸壁面部の前記胸壁に当接する面に形成するための転写面を有する前記金型が準備され、
前記成型する工程は、前記転写面により、前記第１の領域を前記胸壁に当接する面に形成する工程を含んでいる、圧迫板の製造方法。
【発明の詳細な説明】
【技術分野】
【０００１】
本発明の実施形態は、圧迫板、Ｘ線診断装置、及び圧迫板の製造方法に関する。
【背景技術】
【０００２】
マンモグラフィにおけるポジショニングのために、透明な樹脂製の圧迫板を用いている。ポジショニングの際には、被検体の乳房を放射線技師の手によって薄く平らにし、かつ乳腺を広げた状態にする。その状態を保つために圧迫板を用いて乳房を固定している。
【先行技術文献】
【特許文献】
【０００３】
【特許文献１】特開２００９−２０７５６１号公報
【発明の概要】
【発明が解決しようとする課題】
【０００４】
以上のような圧迫板は、通常は特に問題ないが、本発明者の検討によれば、以下の点で改良の余地があると考えられる。
【０００５】
すなわち、本発明者の検討によれば、透明な樹脂製の圧迫板は、表面がツルツルしているため、被検体の胸壁の皮膚に貼り付く場合がある。この場合、圧迫板が下降する過程で被検体の胸壁の皮膚が下方に引っ張られて被検体に痛みを与える可能性や、胸壁の皮がむけてしまう可能性がある。このように、従来の圧迫板は、胸壁の皮膚に貼り付く場合がある点で改良の余地がある。
【０００６】
目的は、胸壁の皮膚に貼り付かず、圧迫板が下降する過程での被検体の痛みを軽減し得る圧迫板、Ｘ線診断装置、及び圧迫板の製造方法を提供することである。
【課題を解決するための手段】
【０００７】
実施形態に係る圧迫板は、被検体の乳房を撮影台の撮影面との間に挟んで圧迫する。前記圧迫板は、圧迫面部及び胸壁面部を具備する。
【０００８】
前記圧迫面部は、前記撮影台に対向して前記乳房を圧迫する。
【０００９】
前記胸壁面部は、前記圧迫面部から連続して構成され、Ｘ線撮影の際に前記被検体の胸壁に当接する。
【００１０】
前記胸壁面部の前記胸壁に当接する面は、前記圧迫面部の前記撮影台に対向する透明な領域よりも表面粗さが大きい第１の領域を有する。
【図面の簡単な説明】
【００１１】
【図１】図１は、第１の実施形態に係るＸ線診断装置の外観を示す模式図である。
【図２】図２は、同実施形態における圧迫板の外観を示す模式図である。
【図３Ａ】図３Ａは、同実施形態における圧迫板の第１頂点及びその周辺の外観を示す模式図である。
【図３Ｂ】図３Ｂは、同実施形態における圧迫板の第２頂点及びその周辺の外観を示す模式図である。
【図３Ｃ】図３Ｃは、同実施形態における圧迫板の第３頂点及びその周辺の外観を示す模式図である。
【図３Ｄ】図３Ｄは、同実施形態における圧迫板の第４頂点及びその周辺の外観を示す模式図である。
【図４】図４は、同実施形態における圧迫板の概略構成を示す上面図である。
【図５】図５は、同実施形態における図４の５−５線矢視断面図及びその各部を拡大して示す拡大図である。
【図６】図６は、図５の変形例を示す模式図である。
【図７】図７は、同実施形態における図４の７−７線矢視断面図及びその各部を拡大して示す拡大図である。
【図８】図８は、同実施形態における動作を説明するための模式図である。
【図９】図９は、同実施形態における動作を説明するための模式図である。
【図１０】図１０は、第２の実施形態に係る圧迫板の製造方法を説明するためのフローチャートである。
【図１１】図１１は、同実施形態における圧迫板の他の製造方法を説明するためのフローチャートである。
【発明を実施するための形態】
【００１２】
以下、各実施形態について図面を用いて説明する。なお、以下の説明中、「Ｘ線診断装置」は「マンモグラフィ装置」又は「乳房Ｘ線撮影装置」と呼んでもよい。また、「透明な領域よりも表面粗さが大きい領域」は、「微小凹凸領域」、「凹凸領域」、「半透明領域」、「乳白色領域」、「低摩擦領域」、「サラサラ領域」又は「すべすべ領域」と呼んでもよい。
【００１３】
＜第１の実施形態＞  
図１は、第１の実施形態に係るＸ線診断装置の外観を示している。Ｘ線診断装置は、マンモグラフィのポジショニングに関する要素として、被検体の乳房が圧迫される撮影面を有する撮影台６と、乳房を撮影面との間に挟んで圧迫する圧迫板２２を備えている。また、Ｘ線診断装置は、スタンド４を有している。スタンド４は、略Ｌ字形又はＩ字形のアーム２１を水平柱１２の中心軸を中心として回転自在に水平柱１２により支持する。アーム２１を回転させることにより、頭尾方向（CranioCaudal projection：ＣＣ）及び内外斜方向（MedioLateral Oblique projection：ＭＬＯ）等の撮影を行うことができる。アーム２１の一方の端にはＸ線管２が装備される。実際にはＸ線管２はハウジングに覆われている。スタンド４には高電圧発生器３が電気的に接続されている。高電圧発生器３は、Ｘ線管２の電極間に高電圧（管電圧）を印加するとともに、フィラメントにフィラメント電流を供給する。それによりＸ線管２でＸ線が発生される。なお、高電圧発生器３の上には操作部を配置してもよい。
【００１４】
アーム２１の他方の端には、被検体の乳房が圧迫される撮影面を有する撮影台６が取り付けられる。撮影台６には、当該撮影面に対向してＸ線検出器５が収容される。Ｘ線検出器５としては、フィルムカセッテ、ＣＲカセッテ又は平面Ｘ線検出器（フラット・パネル・デテクタ；ＦＰＤ）が採用される。Ｘ線検出器５はＸ線管２に対向するように配置され、被検体の圧迫された乳房を透過したＸ線を検出する。
【００１５】
アーム２１には圧迫機構１１が装備される。圧迫機構１１は、圧迫板２２を上下方向に移動させるためのモータを有する移動機構である。圧迫板２２は、熱可塑性樹脂で形成されており、撮影台６と平行状態を維持したまま撮影台６に離反／近接するように上下方向に移動する。圧迫板２２は、下方向への移動により、被検体の乳房を撮影台６の撮影面との間に挟んで圧迫する。圧迫板２２の熱可塑性樹脂としては、例えば、高い機械的強度を有すると共に、Ｘ線を透過させるポリカーボネートが使用可能となっている。圧迫板２２は、撮影台６との間で放射線技師の手により薄く平らにされた乳房を圧迫し、乳房を薄く平らな状態に固定する。この圧迫板２２の移動及びアーム２１の回転は、アームレスト３１の一部分に設けられた操作パネル３５の操作ボタンを放射線技師が操作することにより実行できる。アームレスト３１は、撮影台６と水平柱１２との間でアーム２１を取り囲むようにＵ字形を有する。
【００１６】
次に、以上のようなＸ線診断装置に用いられる圧迫板２２について詳細に説明する。  
図２は、前述した圧迫板の外観を示す模式図であり、図３Ａ乃至図３Ｄは、圧迫板の各頂点及びその周辺の外観を示す模式図である。この圧迫板２２は、概略的には、蓋がない箱形の形状を有し、５つの面部から構成されている。すなわち、圧迫板２２は、撮影台６の撮影面に対向する圧迫面部２２Ｂｔｍ、被検者の胸壁に対向する胸壁面部２２Ｆ、胸壁面部２２Ｆに対向する背面部２２Ｂｃｋ、及び胸壁面部２２Ｆと背面部２２Ｂｃｋとの間に位置する複数の側面部２２Ｌ，２２Ｒを備えている。胸壁面部２２Ｆは、撮影台６の撮影面に略平行な長辺をもつ略長方形状を有し、胸壁に当接する面には圧迫面部２２Ｂｔｍの透明な領域ｔｐよりも表面粗さが大きい領域（第１の領域）ｒ_Ｆを有する。側面部２２Ｌは、ＣＣ撮影の際に被検体から見て左側に位置する。側面部２２Ｒは、ＣＣ撮影の際に被検体から見て右側に位置する。側面部２２Ｌ，２２Ｒは、透明な領域ｔｐよりも表面粗さが大きい領域（第２又は第３の領域）ｒ_Ｌ，ｒ_Ｒを有してもよい。胸壁面部２２Ｆは、略長方形状の四隅に頂点Ａ１〜Ａ４を有し、頂点の間に辺部Ｓｄ１〜Ｓｄ４を有する。頂点Ａ１は、ＣＣ撮影の際に被検体から見て左上側に位置し、頂点Ａ２は、ＣＣ撮影の際に被検体から見て左下側に位置する。頂点Ａ３は、ＣＣ撮影の際に被検体から見て右上側に位置し、頂点Ａ４は、ＣＣ撮影の際に被検体から見て右下側に位置する。辺部Ｓｄ１は、頂点Ａ１，Ａ３間に位置し、辺部Ｓｄ２は、頂点Ａ２，Ａ４間に位置する。辺部Ｓｄ３は、頂点Ａ１，Ａ２間に位置し、辺部Ｓｄ４は、頂点Ａ３，Ａ４間に位置する。頂点Ａ１〜Ａ４及び辺部Ｓｄ１〜Ｓｄ４は、それぞれ丸みを帯びている。頂点Ａ１〜Ａ４及び辺部Ｓｄ１〜Ｓｄ４は、圧迫面部２２Ｂｔｍの透明な領域ｔｐよりも表面粗さが大きい領域ｒ_１〜ｒ_４を含んでいてもよい。
【００１７】
ここで、圧迫面部２２Ｂｔｍは、撮影台６に対向して乳房を圧迫する。また、圧迫面部２２Ｂｔｍは、撮影台６に対向する透明な領域ｔｐを含んでいる。透明な領域ｔｐは、Ｘ線が透過する経路（以下、Ｘ線のパスという）を含んでいてもよい。また、圧迫面部２２Ｂｔｍは、Ｘ線のパス以外の領域に、透明な領域ｔｐよりも表面粗さが大きい領域（第３の領域）を含んでいてもよい。
【００１８】
胸壁面部２２Ｆは、圧迫面部２２Ｂｔｍから連続して構成され、Ｘ線撮影の際に被検体の胸壁に当接する。胸壁面部２２Ｆの胸壁に当接する面は、圧迫面部２２Ｂｔｍの撮影台６に対向する透明な領域ｔｐよりも表面粗さが大きい領域ｒ_Ｆを有する。この領域の表面粗さは、圧迫板２２が下降する過程で皮膚を引っ張らない観点から、例えば、算術平均粗さにおいて、０．１〜２μｍの範囲内にあればよく、０．４〜１μｍの範囲内にあればより好ましい。このような算術平均粗さとしては、例えば、触針走査式表面粗さ測定機（例、（株）東京精密のＳＵＲＦＣＯＭ（登録商標） １５００ＤＸ３−１２）を用い、ＪＩＳ−Ｂ０６０１：２００１の規定に基づいて測定可能となっている。平均をとる測定箇所は、例えば、任意の５〜１０ヵ所としてもよい。表面粗さがこのような範囲内にあれば、被検体の皮膚との接触面積が適度に減少するため、サラサラな表面となり、圧迫板２２を下降させる際に皮膚が滑るようになり、被検体の皮膚を引っ張らない。表面粗さが下限未満の場合には、ツルツルの表面となり、圧迫板２２を下降させる際に皮膚に密着して滑りが悪くなることから、被検体の皮膚を引っ張る可能性がある。表面粗さが上限より大きい場合には、ザラザラの表面となり、圧迫板２２が下降する際に皮膚を摩擦する又は削ることにより、被検体に不快感や痛みを与える可能性がある。
【００１９】
また、胸壁面部２２Ｆは、乳房Ｐｂを引き出す度合を減らしつつ、乳房Ｐｂの付け根を撮影したい観点から、肉厚が薄いことが好ましい。例えば、胸壁面部２２Ｆは、複数の側面部２２Ｒ，２２Ｌの各々よりも薄いことが好ましい。同様に、胸壁面部２２Ｆは、背面部２２Ｂｃｋよりも薄いことが好ましい。
【００２０】
複数の側面部２２Ｌ，２２Ｒは、圧迫面部２２Ｂｔｍ及び胸壁面部２２Ｆに対して直交する方向に沿って、圧迫面部２２Ｂｔｍ及び胸壁面部２２Ｆから連続して構成されている。当該複数の側面部２２Ｌ，２２Ｒは、透明な領域ｔｐよりも表面粗さが大きい領域ｒ_Ｌ，ｒ_Ｒを含んでいてもよい。この領域ｒ_Ｌ，ｒ_Ｒは、側面部２２Ｌ，２２Ｒの全面にある必要はなく、被検体Ｐの上腕に接触する可能性のある領域にあればよい。例えば、領域ｒ_Ｌ，ｒ_Ｒは、胸壁面部２２Ｆと背面部２２Ｂｃｋとの間の中央部よりも、胸壁面部２２Ｆ側の領域にあればよい。なお、表面粗さが大きい領域ｒ_Ｌ，ｒ_Ｒは、半透明領域又は乳白色領域でもあり、すりガラスに似た外観を有する。このため、当該領域ｒ_Ｌ，ｒ_Ｒが側面部２２Ｌ，２２Ｒにある場合、被検体の上腕にサラサラした感触を与えることに加え、側面方向から乳房を見えにくくして、被検体の羞恥心を和らげることができる。
【００２１】
胸壁面部２２Ｆ内の領域ｒ_Ｆと、側面部２２Ｌ，２２Ｒ内の各々の領域ｒ_Ｌ，ｒ_Ｒとは、互いに連続して構成されていてもよい。すなわち、複数の側面部２２Ｌ，２２Ｒと胸壁面部２２Ｆとの境界に位置する辺部Ｓｄ３，Ｓｄ４は、丸みのある角部上に、透明な領域ｔｐよりも表面粗さが大きい領域ｒ_３，ｒ_４を有していてもよい。側面部２２Ｌ，２２Ｒの各々は、撮影台６の撮影面に略平行な長辺をもつ略長方形状を有する。側面部２２Ｌ，２２Ｒの各々は、略長方形状の四隅に頂点を有し、頂点の間に辺部を有する。側面部２２Ｌの辺部のうち、撮影台６の撮影面に略平行な辺部Ｓｄ５，Ｓｄ６は、丸みのある角部上に、透明な領域ｔｐよりも表面粗さが大きい領域ｒ_５，ｒ_６を有していてもよい。なお、辺部Ｓｄ５は、ＣＣ撮影の際に被検体から見て左上側に位置し、辺部Ｓｄ６は、ＣＣ撮影の際に被検体から見て左下側に位置する。同様に、側面部２２Ｒの辺部のうち、撮影台６の撮影面に略平行な辺部Ｓｄ７，Ｓｄ８は、丸みのある角部上に、透明な領域ｔｐよりも表面粗さが大きい領域ｒ_７，ｒ_８を有していてもよい。なお、辺部Ｓｄ７は、ＣＣ撮影の際に被検体から見て右上側に位置し、辺部Ｓｄ８は、ＣＣ撮影の際に被検体から見て左下側に位置する。
【００２２】
図４は、圧迫板２２の概略構成を示す上面図であり、図５は、同実施形態における図４の５−５線矢視断面図及びその各部を拡大して示す拡大図である。図６は、図５の変形例を示す模式図であり、図７は、同実施形態における図４の７−７線矢視断面図及びその各部を拡大して示す拡大図である。
【００２３】
図５に示すように、側面部２２Ｒ及び辺部Ｓｄ７，Ｓｄ８は、透明な領域ｔｐよりも表面粗さが大きい領域ｒ_Ｒ，ｒ_７，ｒ_８が連続的に形成されていてもよい。側面部２２Ｌ及び辺部Ｓｄ５，Ｓｄ６についても同様に、透明な領域ｔｐよりも表面粗さが大きい領域ｒ_Ｌ，ｒ_５，ｒ_６が連続的に形成されていてもよい。
【００２４】
なお、図６に示すように、圧迫面部２２Ｂｔｍは、透明な領域ｔｐの他に、透明な領域ｔｐよりも表面粗さが大きい領域ｒ_Ｂを含んでもよい。この領域ｒ_Ｂは、例えば、側面部２２Ｒ及び辺部Ｓｄ８上の表面粗さが大きい領域ｒ_Ｒ，ｒ_８から連続的に形成されていてもよい。図示しないが同様に、圧迫面部２２Ｂｔｍ上の表面粗さが大きい領域ｒ_Ｂは、例えば、側面部２２Ｌ及び辺部Ｓｄ６上の表面粗さが大きい領域ｒ_Ｌ，ｒ_６から連続的に形成されていてもよい。このような表面粗さが大きい領域ｒ_Ｂは、Ｘ線画像に写ってしまうため、Ｘ線のパス以外の領域に形成されることが好ましい。また、圧迫面部２２Ｂｔｍ内で表面粗さの大きい領域ｒ_Ｂは、仮にＸ線のパスに形成されてしまう場合でも、被検体の乳房に当接しない領域に形成されることが好ましい。
【００２５】
図７に示すように、胸壁面部２２Ｆ及び辺部Ｓｄ１，Ｓｄ２は、透明な領域ｔｐよりも表面粗さが大きい領域ｒ_Ｆ，ｒ_１，ｒ_２が連続的に形成されていてもよい。ここで、圧迫面部２２Ｂｔｍと胸壁面部２２Ｆとの境界に位置し、乳房の付け根に当接する辺部Ｓｄ２は、丸みのある角部上に、透明な領域ｔｐよりも表面粗さが大きい領域（第４の領域）ｒ_２を有してもよい。これに対し、背面部２２Ｂｃｋは、透明な領域ｔｐが全面に形成されている。なお、背面部２２Ｂｃｋは、透明な領域ｔｐよりも表面粗さが大きい領域を設けてもよいが、圧迫板２２が下降する過程で被検体に当接しないため、表面粗さが大きい領域を設ける必要がない。また、背面部２２Ｂｃｋ及び側面部２２Ｌ，２２Ｒは、適宜、圧迫機構１１が圧迫板２２を保持するための孔部、溝部又は爪部など（図示せず）を有してもよい。
【００２６】
次に、以上のように構成された圧迫板を備えるＸ線診断装置の動作について図８及び図９の模式図を用いて説明する。なお、以下の説明は、圧迫板２２の下降又は接近を伴うポジショニング動作について主に述べる。
【００２７】
始めに、Ｘ線診断装置は、放射線技師の操作により、被検体の乳房の撮影方向（ＭＬＯ方向又はＣＣ方向）に関する指定を受け付ける。ここでは、例えばＣＣ方向が指定されたとする。
【００２８】
次に、Ｘ線診断装置は、放射線技師による操作パネル３５の操作により入力された入力情報を読み込んで、撮影方向や乳房の高さに応じて、アーム２１の角度や高さを調整する。
【００２９】
次に、図８に示すように、撮影台６上において、被検体Ｐの乳房Ｐｂのポジショニングが放射線技師によって行われる。ＣＣ撮影のポジショニングの際には、圧迫板２２と、撮影面（Ｘ線検出器５）との間に乳房Ｐｂを挟んで圧迫板２２を下降させる。
【００３０】
このとき、圧迫板２２の胸壁面部２２Ｆは、透明な領域ｔｐよりも表面粗さが大きい領域ｒ_Ｆを介して、胸壁Ｐｗ上を滑りながら下降する。すなわち、圧迫板２２が下降する過程において、胸壁面部２２Ｆが胸壁Ｐｗの皮膚を下方に引っ張らないので、被検体Ｐの痛みを軽減できる。
【００３１】
また、圧迫板２２の側面部２２Ｌ，２２Ｒは、右斜め上方又は左斜め上方といった側面方向から乳房Ｐｂを見えにくくするので、被検体Ｐの羞恥心を緩和することができる。
【００３２】
圧迫板２２の下降後、必要により、圧迫板２２と乳房Ｐｂとの間に放射線技師の手を位置させ、当該乳房Ｐｂを放射線技師の手によって扁平にして乳腺を広げた状態にする。その状態を保つために、放射線技師の手を引き抜くと共に、圧迫板２２の圧迫面部２２Ｂｔｍを用いて乳房Ｐｂを固定している。これにより、ＣＣ撮影のポジショニングが完了する。
【００３３】
続いて、被検体Ｐの乳房Ｐｂが固定された状態において、Ｘ線の照射野の調整や、撮影対象の乳房Ｐｂが左右いずれの乳房であるかを示す情報の入力などの準備作業が実行される。なお、Ｘ線の照射野の調整により、Ｘ線のパスは、乳房Ｐｂを圧迫する圧迫面部２２Ｂｔｍの透明な領域ｔｐを通るように調整される。
【００３４】
しかる後、当該固定された状態で乳房Ｐｂが撮影される。乳房ＰｂへのＸ線の照射は、放射線技師による操作部の操作により実行される。このとき、予め設定されたＸ線の照射量等の条件に対応したＸ線が乳房Ｐｂに向けて照射される。撮影面のＸ線検出器５は、乳房Ｐｂを透過したＸ線を検出する。Ｘ線検出器５がＦＰＤの場合、検出されたＸ線は、Ｘ線検出器５において電気信号に変換される。当該電気信号は、図示しないデータ収集回路により、投影データに変換される。当該投影データは、図示しない画像処理回路により、乳房Ｐｂの画像データに変換される。乳房Ｐｂの画像データは、ディスプレイに表示される。乳房Ｐｂの画像データに関して、乳房Ｐｂの左右に関する情報が付帯情報として格納される。
【００３５】
被検体Ｐの乳房Ｐｂに対するＸ線の照射が終了すると、圧迫機構１１は、圧迫板２２を撮影台６から上昇させる。
【００３６】
被検体Ｐの乳房Ｐｂの撮影を続行する場合には、異なる撮影方向や、他方の乳房Ｐｂの撮影を行う場合には、一連の処理を再度繰り返し、全ての撮影が完了すると撮影は終了する。
【００３７】
ここでは、右の乳房をＭＬＯ方向で撮影する場合について図９を用いて説明する。
【００３８】
Ｘ線診断装置は、放射線技師の操作により、被検体の乳房の撮影方向（ＭＬＯ方向）に関する指定を受け付ける。
【００３９】
次に、Ｘ線診断装置は、放射線技師による操作パネル３５の操作により入力された入力情報を読み込んで、撮影方向や乳房の高さに応じて、アーム２１の角度や高さを調整する。
【００４０】
撮影方向がＭＬＯ方向の場合、例えば図９に示すように、撮影台６上において、被検体Ｐの乳房のポジショニングが放射線技師によって行われる。ＭＬＯ撮影のポジショニングの際には、圧迫板２２と、撮影面との間に乳房を挟むと共に、被検体Ｐの腕をアームレスト３１に載せて指先をアームレスト３１の辺縁に引っ掛ける。その状態で腕を曲げて胸壁を圧迫板２２に当接させつつ、圧迫板２２を撮影台６に接近させる。
【００４１】
このとき、圧迫板２２の胸壁面部２２Ｆは、前述同様に、被検体Ｐの胸壁上を滑りながら撮影台６に接近する。よって、胸壁面部２２Ｆが胸壁の皮膚を下方に引っ張らないため、被検体Ｐの痛みを軽減できる。
【００４２】
また、圧迫板２２の側面部２２Ｒは、透明な領域ｔｐよりも表面粗さが大きい領域ｒ_Ｒを介して、被検体Ｐの上腕の皮膚を滑りながら撮影台６に接近する。なお、側面部２２Ｒにおいて、表面粗さが大きい領域ｒ_Ｒは、被検体Ｐの姿勢によっては上腕に接触しない場合があることから、必須ではなく省略してもよい。このことは、他方の側面部２２Ｌが含む領域ｒ_Ｌについても同様である。
【００４３】
圧迫板２２の接近後、必要により、圧迫板２２と乳房Ｐｂとの間に放射線技師の手を位置させ、前述同様に、乳房Ｐｂを扁平にして乳腺を広げた状態にする。その状態を保つために、放射線技師の手を引き抜くと共に、圧迫板２２の圧迫面部２２Ｂｔｍを用いて乳房Ｐｂを固定している。これにより、ＭＬＯ撮影のポジショニングが完了する。
【００４４】
以下、前述同様に、準備作業が実行された後、乳房Ｐｂが撮影される。また同様に、被検体Ｐの乳房Ｐｂの撮影を続行する場合には一連の処理を再度繰り返し、全ての撮影が完了すると撮影は終了する。
【００４５】
上述したように本実施形態によれば、圧迫板が、撮影台に対向して乳房を圧迫する圧迫面部と、圧迫面部から連続して構成され、Ｘ線撮影の際に被検体の胸壁に当接する胸壁面部とを備えている。ここで、胸壁面部の胸壁に当接する面は、圧迫面部の撮影台に対向する透明な領域よりも表面粗さが大きい第１の領域を有している。
【００４６】
従って、圧迫板の胸壁面部が、透明な領域よりも大きい表面粗さの領域を有する構成により、圧迫板が被検体の胸壁の皮膚に貼り付かず、圧迫板が下降する過程での被検体の痛みを軽減させることができる。この効果はＣＣ撮影前の「圧迫板が下降する過程」をＭＬＯ撮影前の「圧迫板が撮影台に接近する過程」と読み替えても同様に得ることができる。
【００４７】
また、本実施形態によれば、圧迫板の複数の側面部が、圧迫面部の透明な領域よりも表面粗さが大きい第２の領域を含んでいてもよい。この場合には、圧迫板が被検体の上腕の皮膚に貼り付かず、圧迫板が下降する過程での被検体の痛みを軽減できる。これに加え、側面方向から乳房を見えにくくして、被検体の羞恥心を和らげることができる。
【００４８】
また、本実施形態によれば、圧迫面部の透明な領域がＸ線のパスを含み、複数の側面部及び圧迫面部のうちの少なくとも一方が、当該透明な領域よりも表面粗さが大きい第３の領域を含んでもよい。この場合には、前述同様に、被検体の痛みを軽減させることができる。また、複数の側面部が第３の領域を含む場合には、前述同様に、被検体の羞恥心を和らげることができる。なお、複数の側面部における表面粗さが大きい領域は、Ｘ線のパスに無関係に説明する場合には「第２の領域」と呼び、Ｘ線のパスに関係付けて説明する場合には「第３の領域」と呼んでいる。
【００４９】
また、本実施形態によれば、当該第１の領域及び当該第２の領域が互いに連続して構成されていてもよい。この場合には、圧迫板が、被検体の胸壁と上腕との間の皮膚に貼り付かず、圧迫板が下降する過程での被検体の痛みを軽減させることができる。
【００５０】
また、本実施形態によれば、圧迫面部と胸壁面部との境界に位置し、乳房の付け根に当接する辺部が、丸みのある角部上に、透明な領域よりも表面粗さが大きい第４の領域を有してもよい。この場合には、圧迫板が被検体の乳房の付け根の皮膚に貼り付かず、圧迫板が下降する過程での被検体の痛みを軽減させることができる。
【００５１】
このように、本実施形態によれば、乳房以外の皮膚に接触する可能性のある少なくとも第１の領域に、滑りやすいサラサラになる表面加工を施している。これにより、皮膚に貼り付かない圧迫板となるため、ポジショニングにおいて圧迫板を下げる際に、被検体の痛みを軽減させることができる。
【００５２】
また、本実施形態によれば、第１の領域の表面粗さが０．１〜２μｍの範囲内にあってもよい。この場合には、表面粗さの大きさを定量的に規定できるため、例えば、全面が透明な領域である半製品の一部を表面加工して圧迫板を製造する際に、表面加工の品質を管理することができる。
【００５３】
また、本実施形態によれば、胸壁面部が、複数の側面部の各々よりも薄くてもよい。この場合には、ポジショニングの際に乳房を引き出す度合を減らしつつ、乳房の付け根を撮影することができる。
【００５４】
＜第２の実施形態＞
次に、以上のようなＸ線診断装置に用いられる圧迫板の製造方法について図１０のフローチャートを用いて説明する。この圧迫板の製造方法によれば、第１の実施形態に述べた圧迫板２２を製造することができる。以下、圧迫板２２の製造方法について具体的に述べる。
【００５５】
始めに、圧迫板２２の樹脂材料を金型内に射出して成型する（ステップＳＴ１）。このステップＳＴ１は、溶融した樹脂材料をインジェクタから金型内に射出し、冷却して成型することから、インジェクタ成型と呼んでもよい。また、樹脂材料としては、例えば、ポリカーボネートを用いている。
【００５６】
続いて、樹脂材料が冷却された後に金型内から取り出された圧迫板（表面加工前の半製品）のうち、ブラスト加工される領域以外をマスキングする（ステップＳＴ２）。なお、胸壁面部２２Ｆをブラスト加工する際に、側面部２２Ｌ，２２Ｒ及び背面部２２Ｂｃｋに対するブラスト加工の有無によらず、撮影台６に対向して乳房を圧迫する圧迫面部２２Ｂｔｍにはマスキングする。背面部２２Ｂｃｋは、ブラスト加工の有無が任意であり、マスキングの有無も任意である。
【００５７】
しかる後、マスキングされた圧迫面部２２Ｂｔｍから連続して構成され、Ｘ線撮影の際に被検体の胸壁に当接する胸壁面部２２Ｆにブラスト加工を施す（ステップＳＴ３）。ステップＳＴ３は、圧迫面部２２Ｂｔｍの撮影台６に対向する透明な領域ｔｐよりも表面粗さが大きい領域ｒ_Ｆを、胸壁面部２２Ｆの胸壁Ｐｗに当接する面に形成するステップである。このようなブラスト加工において、樹脂表面に吹き付ける研磨剤としては、例えば、溶融アルミナ又は炭化珪素などが、適宜、使用可能となっている。また、研磨剤の粒度としては、例えば、ＪＩＳ  Ｒ６００１−１９９８に規定された粒度Ｆ１６〜Ｆ２２０の範囲内にある粒度が適宜、使用可能となっている。
【００５８】
なお、ステップＳＴ２で側面部２２Ｌ，２２Ｒがマスキングされなかった場合、ステップＳＴ３では、側面部２２Ｌ，２２Ｒにもブラスト加工を施す。同様に、辺部Ｓｄ１〜Ｓｄ８及び頂点Ａ１〜Ａ４がマスキングされなかった場合、ステップＳＴ３では、辺部Ｓｄ１〜Ｓｄ８及び頂点Ａ１〜Ａ４にもブラスト加工を施す。また同様に、ステップＳＴ２で圧迫面部２２Ｂｔｍの一部の領域ｒ_Ｂがマスキングされなかった場合、ステップＳＴ３では、当該領域ｒ_Ｂにもブラスト加工を施す。
【００５９】
このようなブラスト加工の後、マスキングを除去する（ステップＳＴ４）。
【００６０】
これにより、前述した圧迫板２２が製造される。
【００６１】
上述したように本実施形態によれば、圧迫板の樹脂材料を金型内に射出して成型する工程と、樹脂材料が冷却された後に金型内から取り出された圧迫板のうち、撮影台に対向して乳房を圧迫する圧迫面部にマスキングする工程とを実行する。また、マスキングされた圧迫面部から連続して構成され、Ｘ線撮影の際に被検体の胸壁に当接する胸壁面部にブラスト加工を施す工程と、ブラスト加工の後、マスキングを除去する工程とを実行する。ここで、ブラスト加工を施す工程は、圧迫面部の撮影台に対向する透明な領域よりも表面粗さが大きい第１の領域を、胸壁面部の胸壁に当接する面に形成する工程である。
【００６２】
従って、本実施形態によれば、ブラスト加工を用いる製造方法により、第１の実施形態の効果を奏する圧迫板を製造することができる。
【００６３】
（変形例）
次に、第２の実施形態の変形例について説明する。  
この変形例は、前述したブラスト加工を用いる方法に代えて、金型から転写する方法を用いている。すなわち、この変形例では、予め表面加工された金型を用いる方法により、透明な領域ｔｐよりも表面粗さが大きい領域（微小凹凸領域）を熱可塑性樹脂に転写して圧迫板２２を製造する。以下、この変形例について、図１１に示すフローチャートを参照しながら説明する。
【００６４】
始めに、撮影台６に対向して乳房を圧迫する圧迫面部２２Ｂｔｍと、圧迫面部２２Ｂｔｍから連続して構成され、Ｘ線撮影の際に被検体の胸壁に当接する胸壁面部２２Ｆとを備えた圧迫板２２を成型するための金型を準備する（ステップＳＴ１１）。準備される金型は、圧迫面部２２Ｂｔｍの撮影台６に対向する透明な領域ｔｐよりも表面粗さが大きい領域ｒ_Ｆを、胸壁面部２２Ｆの胸壁に当接する面に形成するための転写面を有する。なお、金型は、胸壁面部２２Ｆに対応する表面粗さの転写面に限らず、側面部２２Ｌ，２２Ｒ、辺部Ｓｄ１〜Ｓｄ８及び頂点Ａ１〜Ａ４に対応する表面粗さの転写面を、適宜含んでもよい。
【００６５】
ステップＳＴ１１の後、圧迫板２２の樹脂材料を金型内に射出して成型する（ステップＳＴ１２）。ステップＳＴ１２は、金型の転写面により、領域ｒ_Ｆを胸壁に当接する面に形成するステップを含んでいる。なお、金型が有する転写面に応じて、ステップＳＴ１２は、側面部２２Ｌ，２２Ｒ、辺部Ｓｄ１〜Ｓｄ８及び頂点Ａ１〜Ａ４に対応する表面粗さをもつ領域を樹脂材料に形成するステップを含む。
【００６６】
ステップＳＴ１２の後、樹脂材料が冷却された後に金型内から圧迫板２２が取り出される。これにより、前述した圧迫板２２が製造される。
【００６７】
以上のような変形例によれば、ブラスト加工に代えて、予め表面加工された金型を用いる構成としても、第１の実施形態と同様の作用効果を奏する圧迫板２２を製造することができる。
【００６８】
これに加え、金型を用いた変形例によれば、例えば、胸壁面部２２Ｆ内の領域ｒ_Ｒと、側面部２２Ｌ，２２Ｒ内の領域ｒ_Ｌ，ｒ_Ｒといった各々の領域を互いに異なる表面粗さに形成することができる。従って、被検体の胸壁及び上腕の各々の皮膚の敏感さに応じて、圧迫板２２の各領域の表面粗さを調整することができる。
【００６９】
各実施形態における領域ｒ_Ｆは、特許請求の範囲における第１の領域の一例である。  各実施形態における領域ｒ_Ｌ，ｒ_Ｒは、特許請求の範囲における第２の領域の一例である。各実施形態における領域ｒ_Ｌ，ｒ_Ｒ，ｒ_Ｂは、特許請求の範囲における第３の領域の一例である。各実施形態における辺部Ｓｄ２及び領域ｒ_２は、特許請求の範囲における（乳房の付け根に当接する）辺部及び第４の領域の一例である。
【００７０】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【００７１】
２…Ｘ線管、３…高電圧発生器、４…スタンド、５…Ｘ線検出器、６…撮影台、１１…１１…圧迫機構、１２…水平柱、２１…アーム、２２…圧迫板、２２Ｆ…胸壁面部、２２Ｂｔｍ…圧迫面部、２２Ｌ，２２Ｒ…側面部、２２Ｂｃｋ…背面部、３１…アームレスト、３５…操作パネル、Ｓｄ１〜Ｓｄ８…辺部、Ａ１〜Ａ４…頂点、ｒ_Ｆ，ｒ_Ｂ，ｒ_Ｌ，ｒ_Ｒ，ｒ_１〜ｒ_８…（表面粗さの大きい）領域、ｔｐ…透明な領域。
【図１】
2018064833.tif 000003
【図２】
2018064833.tif 000004
【図３Ａ】
2018064833.tif 000005
【図３Ｂ】
2018064833.tif 000006
【図３Ｃ】
2018064833.tif 000007
【図３Ｄ】
2018064833.tif 000008
【図４】
2018064833.tif 000009
【図５】
2018064833.tif 000010
【図６】
2018064833.tif 000011
【図７】
2018064833.tif 000012
【図８】
2018064833.tif 000013
【図９】
2018064833.tif 000014
【図１０】
2018064833.tif 000015
【図１１】
2018064833.tif 000016